(57)【要約】【課題】軽量で、留め具を用いることなく首の外周に使用者の好みに応じた径を以て環状に形成できるスポ−ツ用首巻きを提供する。【解決手段】使用者の首全周囲を内側に配設して囲み、安定的な環状状態を保持可能な首巻きにおいて、吸湿性、通気性、ソフトな触感及び速乾性を有し、一端若しくは両端を開口し一方向に著しく長い筒状に形成された首巻き１の腔部に、他方の端部全体を挿入配設するための差入れ口５、６、７、８、１１、１２、１３、１４を前記首巻き１の長さ方向に沿って開設する。【選択図】図１
2006218264.tif 000002
【特許請求の範囲】
【請求項１】
使用者の首全周囲を内側に配設して囲み、安定的な環状状態を保持可能な首巻きにおいて、
吸湿性、通気性、ソフトな触感及び速乾性を有し、一端若しくは両端を開口し一方向に著しく長い筒状に形成された首巻きの腔部に、他方の端部全体を挿入配設するための差入れ口を前記首巻きの長さ方向に沿って開設したことを特徴とするスポ−ツ用首巻き。
【請求項２】
使用者の首全周囲を内側に配設して囲み、安定的な環状状態を保持可能な首巻きにおいて、
吸湿性、通気性、ソフトな触感及び速乾性を有し、一端若しくは両端を開口し一方向に著しく長い筒状に形成された首巻きの腔部に、他方の端部全体を挿入配設するための差入れ口を前記首巻きの長さ方向に沿って開設し、首巻きのうち前記差入れ口形成位置には首巻きの周方向に沿って伸縮性部材を設けたことを特徴とするスポ−ツ用首巻き。
【発明の詳細な説明】
【技術分野】
【０００１】  本願発明は、例えばジョギングやウォ−キングの際に首に掛けて若しくは巻いて使用するスポ−ツ用首巻きに関し、更に詳しくはボタンやスナップ等の留め具を用いることなく環状状態を長時間安定的に保持可能であり軽量なスポ−ツ用首巻きに関する。
【背景技術】
【０００２】  ジョギングやウォ−キング時に正方形のハンカチタオルをポケットに入れるか、或は長方形状のフェイスタオルを首にぶら下げ若しくは首に巻着して端部を結んで使用していた。しかしながら、従来の正方形若しくは長方形状タオルを用いる方法であると、使用者が運動中に身体から落下し、又、落下防止のために首に長方形状タオルを巻着するとタオルの縦幅が広いので、顎や首の付け根までタオルに覆われ邪魔であり、首を締め付け、更に重いという不具合があった。
上記不具合を解消するために、横方向に長いタオルの略中央部を両端方よりも細くし、運動時に首に掛けても落下しないようにしたもの（例えば、特許文献１参照）や、タオルにスナップボタンを設け、襟元でタオルを留めるようにしたもの（例えば、実用新案文献１参照）が提案されている。【０００３】  しかし、上記特許文献１記載の発明であると首にぶら下げて使用するため、背を後方へ反らす運動や回転させる運動を行ったり或はジョギング等で身体が上下に揺れたりすると首から落下する事態が生じる。又、首の周囲に環状に配設する場合は左右に設けた面ファスナ−を当接し閉じるようにしているため、面ファスナ−を開いた状態では使用者の皮膚に面ファスナ−が接触する場合が生じ異物感があって不快感を使用者に与え、又、面ファスナ−縫着工程等を必要とし製品完成に時間を要し、部品点数と工程数の多さにより製品のコスト高を招来するという問題点があった。
又、実用新案文献１記載のタオルに関しても、スナップボタンを必要とするため使用時に異物感があり皮膚を損傷する虞があり、安全快適に使用できず、スナップボタン縫着工程や部品点数の増加により、結果的に製品のコスト高を招来するという問題点があった。
又、特許文献１記載の発明及び実用新案文献１記載の考案何れもタオルの大きさが大きく、部品を設けているので使用中重いという問題点かあった。
【特許文献１】特開平８−２１５０９７号公報
【実用新案文献１】
実開昭６０−２５４９７号公報
【発明の開示】
【発明が解決しようとする課題】
【０００４】  本願発明は、軽量で、留め具を用いることなく首の外周に使用者の好みに応じた径を以て環状に形成できるスポ−ツ用首巻きを提供するものである。
【課題を解決するための手段】
【０００５】  上記目的を達成するために、本願発明のうち請求項１記載の発明は、使用者の首全周囲を内側に配設して囲み、安定的な環状状態を保持可能な首巻きにおいて、吸湿性、通気性、ソフトな触感及び速乾性を有し、一端若しくは両端を開口し一方向に著しく長い筒状に形成された首巻きの腔部に、他方の端部全体を挿入配設するための差入れ口を前記首巻きの長さ方向に沿って開設したことを特徴とする。
請求項２記載の発明は、使用者の首全周囲を内側に配設して囲み、安定的な環状状態を保持可能な首巻きにおいて、吸湿性、通気性、ソフトな触感及び速乾性を有し、一端若しくは両端を開口し一方向に著しく長い筒状に形成された首巻きの腔部に、他方の端部全体を挿入配設するための差入れ口を前記首巻きの長さ方向に沿って開設し、首巻きのうち前記差入れ口形成位置には首巻きの周方向に沿って伸縮性部材を設けたことを特徴とする。
【発明の効果】
【０００６】  本願発明は、スナップボタンや面ファスナ−等の留め具を一切使用することなく、首の外周囲に使用者の好みの径を以て環状に形成可能であるので危険性がなく、取扱いに制限がなく、製品の低コスト化により経済的であるという効果がある。
縦幅が、首の長さに対応するようにした長い筒状に形成したので、軽量化を図り得ることができ、使用時、違和感を感じないという効果がある。
首の外周に使用者の好みに応じた径を以て環状に形成し、吸湿性、通気性、ソフトな触感及び速乾性を有する材質よりなるので、ジョギング中でも首に掛けた状態で容易に汗等を拭うことができる。
差入れ口形成位置裏面には、首巻きの周方向に沿って伸縮性部材を設けたので、差入れ口に挿入した端部は、首巻きの腔部に安定的に配設されるという効果がある。
不使用時にはコンパクト化可能であるので、携帯場所をとらず便利である。
【発明を実施するための最良の形態】
【実施例１】
【０００７】  図１はスポ−ツ用首巻きの斜視図、図２は図１のＡ−Ａ線拡大断面図、図３は使用状態を示す図である。これらの図において、首巻き１は両端方を開口した横方向に著しく長い筒状に形成され、端部２、３、中間部分４及び差入れ口５、６とより構成されている。首巻き１の中間部分４は、吸湿性、通気性、ソフトな触感及び速乾性を有する織物若しくは筒状編物を用いている。具体例として綿糸若しくはレ−ヨン糸若しくはこれらのうちの少なくとも一種と合成繊維との混紡糸やモ−ル糸等の無撚糸を用いたタオル織物が好適で、タオル織物以外にも平織、朱子織等のあらゆる組織の織物、混用織物が含まれる。端部２、３は中間部分４よりも硬い触感の織物よりなる。【０００８】  本実施例のスポ−ツ用首巻きを製造する一例を説明する。首巻き１は、平視四角形のタオル織物から製作される。タオル織物は、毛部分がレ−ヨンとナイロンを混紡したモ−ル糸と綿糸とで表面側に毛とパイルが混在して表出し、両端部は１００％の綿糸を用いて繻子織にし、さらにヘム縫いを施したものを用いる。このタオル織物の大きさは問わないが、一般的な成人男性用として縦幅が約１５ｃｍ、横幅が約９０ｃｍの横長な長方形状のものを用いる。また、タオル織物は片面パイルであっても両面パイルであってもよいが、表面側にパイルが出ていることを必要とする。長方形状タオル織物を、表側面が当接重合するように縦方向に２つ折りにし、対向する長尺縁部を重合して左右両端から夫々約９〜１０ｃｍ程度の位置まで縫着し、縫着端から内方へ約１０〜１１ｃｍの位置は縫着せず開口して差入れ口５、６とし、この差入れ口５、６の各内端間は縫着する。このようにして得られた縫製品を裏返して、タオル織物の表面側を表側にしスポ−ツ用首巻きを得る。【０００９】  次に使用方法について、図３を参照にして説明する。中間部分４の長さ方向略中央が頸椎に位置するように首に掛け、胸の正面側で、端部３を差入れ口５より中間部分４の内側に入れ、端部３を端部２の開口の外側方へ引き出し、首の外周を環状に配設するようにして使用する。首巻き１のうち差入れ口５から首巻き１の内側に挿入された部分は、差入れ口５から端部２に亘たる部分の内周面に当接し、当接する繊維同志の摩擦により位置擦れが生じることなく、環状状態を安定的に保持する。又、汗を拭う場合は、差入れ口５から中間部分４を，首巻き１の長さ方向中央位置方向に引っ張って引き出し、首巻き１を端部２、３が左右に離れて肩から垂れている状態にし、首巻き１のうち使用者の好みの部分で汗を拭うものである。又、不使用時には、丸めるか若しくは折り畳んでコンパクト化し、ポケット等に収納する。
【実施例２】
【００１０】  図４に示される実施例について説明する。説明を簡単にするために図１〜図３と同様の作用をなす部分は同一符号で説明する。首巻き１には端部３側に差入れ口７、８を設けている。端部２を差入れ口７、８のいずれか一方を選択することにより、首巻き１の首の周囲に環状に配設する場合の径の調整や端部３からの端部２の露出度合を、使用者の好みに自由に合わせることができる。
【実施例３】
【００１１】  図５に示される実施例について説明する。首巻き１は両端が縫着９、１０されて閉塞し、端部２、３から夫々略等しい距離を有して差入れ口１１、１２、１３、１４が開設されている。差入れ口１１、１２、１３、１４位置の裏面には、首巻き１の周方向に沿って伸縮性部材、例えばゴム紐１５を設けている。端部２、３のいずれかを差入れ口１１、１２、１３、１４に差し入れる場合は、隣り合う差入れ口から指を入れて引っ張り、内側に配設するものである。使用者の好みに応じて、端部２又は端部３は他方側の２つの差入れ口の何れか一方を自由に選択でき、利き手が左右のいずれの人であっても所望の径になるように首巻き１を首回りに環状に配設することが可能である。又、差入れ口１１、１２、１３、１４に交互に端部２、３を差し入れることにより、捩じれた形状を表現でき、ファッション性も高い。又、伸縮性部材が挿入した端部を僅かばかり押さえるので、挿入された端部は、より安定的に首巻き１の腔部に配設される。
【実施例４】
【００１２】  図６に示される実施例について説明する。首巻き１の端部２、３側は開口している。端部２、３の両側方に差入れ口１１、１２、１３、１４を開設している。端部２を差入れ口１３、１４のいずれかに挿入し端部３の開口外側より引っ張り出したり、或は端部３を差入れ口１１、１２のいずれかに挿入し端部２の開口外側より引っ張り出す等、種々の用い方が可能である。
【実施例５】
【００１３】  図７に示される実施例について説明する。首巻き１の端部３側を縫着１０して閉塞し、端部２側にのみ差入れ口５を開設している。端部３を差入れ口６に挿入し、端部２の開口外側より端部３を引っ張り出して首に環状に装着するものである。【００１４】  尚、本願発明の実施例１〜５については、両端部２、３がヘム縫いをしているものを説明したが、ヘム縫いをしていないものも本願発明には含まれる。又、差入れ口の数は１から４であることを説明したが、差入れ口の数は限定するものではない。
【産業上の利用可能性】
【００１５】  首巻き１の長さや径を変えることにより、活動時や就寝時の喉保護や保温保持のための首巻き、マフラ−、ペット用マフラ−、鉢巻き又はヘアバンドとして適応できる。
【図面の簡単な説明】
【００１６】
【図１】スポ−ツ用首巻きの斜視図である。（実施例１）
【図２】図１のＡ−Ａ線拡図大断面図である。（実施例１）
【図３】使用状態を示す図である。（実施例１）
【図４】スポ−ツ用首巻きの背面図である。（実施例２）
【図５】スポ−ツ用首巻きの斜視図である。（実施例３）
【図６】スポ−ツ用首巻きの斜視図である。（実施例４）
【図７】スポ−ツ用首巻きの背面図である。（実施例５）
【符号の説明】
【００１６】１  首巻き
２、３  端部
４  中間部分
５、６、７、８、１１、１２、１３、１４  差入れ口
１５  ゴム紐
【図１】
2006218264.tif 000003
【図２】
2006218264.tif 000004
【図３】
2006218264.tif 000005
【図４】
2006218264.tif 000006
【図５】
2006218264.tif 000007
【図６】
2006218264.tif 000008
【図７】
2006218264.tif 000009